(57)【特許請求の範囲】
【請求項１】
トラスの内側に組み込まれたステップ列のステップが反転する反転部の近傍にそのステップの走行をガイドするガイドレールを設けて支持するマンコンベアのガイドレール支持装置において、
前記反転部に設けられたステップ反転用ガイド部材とその反転部の近傍に設けられたトラスの横梁との間に取付プレートを架設し、この取付プレートの一方の側面および他方の側面にそれぞれ支持部材を設け、その一方の側面に設けた支持部材を介してステップの前輪をガイドする前輪用のガイドレールを支持し、他方の側面に設けた支持部材を介してステップの後輪をガイドする後輪用のガイドレールを支持することを特徴とするマンコンベアのガイドレール支持装置。
【発明の詳細な説明】
【０００１】
【発明の属する技術分野】
この発明は、多数のステップをチエーンを介して無端状に連結してなるステップ列を走行させて乗客を搬送するマンコンベアに係り、特にそのステップ列の各ステップの走行をガイドするガイドレールを支持する支持装置に関する。
【０００２】
【従来の技術】
例えばマンコンベアとしてのエスカレータは、建屋の下階と上階との間に亘ってトラスおよび欄干を据え付け、トラスには多数のステップを無端状に連結してなるステップ列を組み込み、欄干の外周には無端状の手すりベルトを装着し、前記ステップ列を駆動装置で無端走行させて乗客を搬送し、また手すりベルトをステップ列と同期して無端走行させるようになっている。
【０００３】
ステップ列の各ステップは両側部にそれぞれ前輪および後輪を備え、またトラスの内側にはその前輪をガイドする前輪用のガイドレールおよび後輪をガイドする後輪用のガイドレールが設けられ、これらガイドレールに沿って各ステップが走行し、トラスの端部において各ステップが順次反転してその走行の向きを変換するようになっている。
【０００４】
図５にはトラスの端部におけるガイドレールの支持構造を示してあり、トラス１の側部梁１ａの内側には複数のブラケット部材２がその中央側に向って突出するように取り付けられ、これらブラケット部材２の端部に取付プレート３がボルト４およびナット５を介して着脱可能に取り付けられている。
【０００５】
取付プレート３の一方の側面には複数の支持部材６ａ，６ｂが溶接等により固定され、これら支持部材６ａ，６ｂの上に前輪用のガイドレール７および後輪用のガイドレール８が取り付けられ、これら前輪用のガイドレール７および後輪用のガイドレール８を介してステップ列１０におけるステップ１１の側部に設けられた前輪１２および後輪１３が支持されている。
【０００６】
トラス１に取付けられたブラケット部材２と、ガイドレール７，８を支持した取付プレート３はボルト４およびナット５の取り外しにより分割することが可能となっており、これは欄干の外周に設けられた無端状の手すりベルトの着脱を可能にするためである。
【０００７】
【発明が解決しようとする課題】
しかしながらこのような従来の構成おいては、トラス１に多数のブラケット部材２を取り付けなければならないから部品点数が増し、構造が複雑となり、その組立作業が面倒で、また寸法調整等の管理も面倒となる。そしてガイドレール７，８がトラス１に対して片持ちの構造で支持され、このため強度的に不利となる。
【０００８】
また、手すりベルトを着脱するときには、いちいちボルト４およびナット５を取り外してトラス１側のブラケット部材２とガイドレール７，８側の取付プレート３とを分割しなければならず、このためその手すりベルトの着脱の作業も面倒で能率が低下し、さらにブラケット部材２と取付プレート３とを分割してもトラス１から突出する多数のブラケット部材２が残るからこれらブラケット部材２が邪魔となってより一層手すりベルトの着脱作業が面倒となる。
【０００９】
この発明はこのような点に着目してなされたもので、その目的とするところは、ブラケット部材を用いない簡単な構成で強固にかつ安定してガイドレールを支持でき、また手すりベルトの着脱の作業も容易に能率よく行なうことができるマンコンベアのガイドレール支持装置を提供することにある。
【００１０】
【課題を解決するための手段】
この発明はこのような目的を達成するために、トラスの内側に組み込まれたステップ列のステップが反転する反転部の近傍にそのステップの走行をガイドするガイドレールを設けて支持するマンコンベアのガイドレール支持装置において、前記反転部に設けられたステップ反転用ガイド部材とその反転部の近傍に設けられたトラスの横梁との間に取付プレートを架設し、この取付プレートの一方の側面および他方の側面にそれぞれ支持部材を設け、その一方の側面に設けた支持部材を介してステップの前輪をガイドする前輪用のガイドレールを支持し、他方の側面に設けた支持部材を介してステップの後輪をガイドする後輪用のガイドレールを支持するようにしたものである。
【００１３】
【発明の実施の形態】
以下、この発明の実施の形態について図１ないし図４を参照して説明する。
【００１４】
図１および図２にはステップの反転部分におけるガイドレールの支持構造を示してある。トラス２０は互いに対向した一対の側部梁２０ａと、これら側部梁２０ａの相互間に架設された横梁２０ｂとを備え、このトラス２０の内側に多数のステップ２１を無端状に連結してなるステップ列２２が組み込まれている。そして各ステップ２１の両側部にそれぞれ前輪２３および後輪２４が回転自在に設けられている。
【００１５】
トラス２０における互いに対向した側部梁２０ａの端部間には、図２および図３に示すように駆動軸２５が設けられ、この駆動軸２５は各側部梁２０ａの内側に設けられた軸受２６を介して回転自在に支持され、この駆動軸２５が駆動装置（図示せず）により駆動されて回転するようになっている。
【００１６】
そして駆動軸２５にはスプロケット（図示せず）が、ステップ列２２にはそのスプロケットに噛合する無端状のチエーン（図示せず）がそれぞれ設けられ、そのスプロケットとチエーンとの噛合で駆動軸２５の回転に応じてステップ列２２がトラス２０の長手方向に沿って走行するようになっている。
【００１７】
さらに駆動軸２５の軸上、すなわちステップ２１の反転部にはステップ反転用ガイド部材２７が一対互いに一定の間隔をあけて設けられている。これらステップ反転用ガイド部材２７はそれぞれ軸受２８を備え、これら軸受２８を介して駆動軸２５の軸上にその駆動軸２５の回転とは無関係に常時一定の姿勢を保つように支持されている。
【００１８】
そしてトラス２０の横梁２０ｂのうちの駆動軸２５に最も近寄った横梁２０ｂと各ステップ反転用ガイド部材２７との間に跨がって取付プレート３０が設けられている。これら取付プレート３０は一端部が横梁２０ｂの上に支持板２９を介して固定され、他端部がステップ反転用ガイド部材２７の上部側の端部に結合されて固定されている。
【００１９】
取付プレート３０の外側および内側の側面にはそれぞれ複数の支持部材３１，３２が溶接等により取り付けられている。そして取付プレート３０の外側の側面に設けられた複数の支持部材３１の上に、ステップ２１の前輪２３を支持してその走行をガイドする前輪用のガイドレール３３が取り付けられ、取付プレート３０の内側の側面に設けられた複数の支持部材３２の上に、ステップ２１の後輪２４を支持してその走行をガイドする後輪用のガイドレール３４が取り付けられている。
【００２０】
ステップ反転用ガイド部材２７の内側の側面には断面コ字状をなすガイド路３６が形成され、このガイド路３６は駆動軸２５の外周部分でその向きを逆方向に反転させるように延びるＵ字状をなし、このガイド路３６の一端部に前記後輪用のガイドレール３４の一端部が接続され、ステップ２１の走行時に各ステップ２１の後輪２４が後輪用のガイドレール３４からガイド路３６内に導かれ、このガイド路３６に沿って後輪２４が移動することにより各ステップ２１が順次反転してその走行の向きを変換するようになっている。
【００２１】
このように、取付プレート３０の一方の側面側に支持部材３１を介して前輪用のガイドレール３３を、他方の側面側に支持部材３２を介して後輪用のガイドレール３４を支持する構成においては、そのガイドレール３３，３４が強度的に有利ないわゆる両持ちの形態で支持され、したがってガイドレール３３，３４に加わるステップ２１の荷重を取付プレート３０を境とするその両側に均等的に分散させて均衡させることができ、このため前輪用および後輪用のガイドレール３３，３４の支持状態が強固かつ安定し、またその組立作業や寸法調整等の管理も容易に能率よく行なうことができる。
【００２２】
前輪用および後輪用のガイドレール３３，３４を支持した取付プレート３０は、駆動軸２５に設けられたステップ反転用ガイド部材２７とトラス２０の横梁２０ｂとの間に架設されており、したがって従来のようにトラス２０の側部梁２０ａの内側に多数のブラケット部材を突出して設けるような必要がなく、このためトラス２０の側部梁２０ａの内側は部材の配置のない余裕の空間となり、したがってトラス２０の側部梁２０ａの上部側に設けられる手すりベルトの着脱作業を容易に能率よく行なうことができる。
【００２３】
図４にはこの発明の他の実施形態を示してあり、この実施形態においては、取付プレート３０の上端部にその取付プレート３０の一方の側面側に突出するように支持部材３１が溶接等により取り付けられ、この支持部材３１を介して前輪用のガイドレール３３が支持され、また取付プレート３０の他方の側面に支持部材３２が溶接等により取り付けられ、この支持部材３２を介して後輪用のガイドレール３４が支持されている。
【００２４】
このような構成においても、各ガイドレール３３，３４に加わるステップ２１の荷重が取付プレート３０を境とするその両側に均等的に分散して両持ちの形態で支持され、したがって前輪用および後輪用のガイドレール３３，３４を安定して強固に支持することができ、またその組立作業や寸法調整等の管理も容易に能率よく行なうことができる。
【００２５】
なお、この発明はエスカレータに適用する場合にほか、動く歩道等のマンコンベアにおいても同様に適用することができるものである。
【００２６】
【発明の効果】
以上説明したようにこの発明によれば、トラスの側部梁の内側に多数のブラケット部材を取り付けるような複雑な構成を要することなく、簡単な構成でステップ走行用のガイドレールを安定してかつ強固に支持でき、かつ手すりベルトの着脱の作業も容易に能率よく行なうことができる。
【図面の簡単な説明】
【図１】この発明の一実施形態に係るガイドレール支持装置の断面図。
【図２】同じくそのガイドレール支持装置の斜視図。
【図３】同じくそのガイドレール支持装置におけるステップ反転用ガイド部材の支持部分の構造を示す断面図。
【図４】この発明の他の実施形態に係るガイドレール支持装置の断面図。
【図５】従来のガイドレール支持装置の断面図。
【符号の説明】
２０…トラス
２０ａ…側部梁
２０ｂ…横梁
２１…ステップ
２２…ステップ列
２３…前輪
２４…後輪
２５…駆動軸
２７…ステップ反転用ガイド部材
３０…取付プレート
３１…支持部材
３２…支持部材
３３…前輪用のガイドレール
３４…後輪用のガイドレール
【図１】
0004322374.tif 000002
【図２】
0004322374.tif 000003
【図３】
0004322374.tif 000004
【図４】
0004322374.tif 000005
【図５】
0004322374.tif 000006